(57)【特許請求の範囲】
【請求項１】
画像等のコンテンツデータを表示するコンテンツ表示手段を有したコンテンツ表示装置であって、画面コピー機能を持つアプリケーションソフトウエアが動作中かどうかを検出するコピーソフト検出手段と、前記画面コピー機能を持つアプリケーションソフトウエアが動作している事が検出されると前記コンテンツ表示手段の画面表示がコピーされないように、検知された画面コピー機能を有するソフトウエアプログラムを強制的に終了させるコンテンツ保護処置を施すコンテンツ保護手段と、を備えたことを特徴とするコンテンツ表示装置。
【請求項２】
画像等のコンテンツデータを表示するコンテンツ表示手段を有したコンテンツ表示装置であって、画面コピー機能を持つアプリケーションソフトウエアが動作中かどうかを検出するコピーソフト検出手段と、前記画面コピー機能を持つアプリケーションソフトウエアが動作している事が検出されると前記コンテンツ表示手段の画面表示がコピーされないように、前記コンテンツ表示手段の画面表示を非表示状態とするコンテンツ保護処置を施すコンテンツ保護手段と、を備えたことを特徴とするコンテンツ表示装置。
【請求項３】
前記コピーソフト検出手段は、前記コンテンツ表示装置上で動作中のアプリケーションソフトウエアの一覧を得て、事前に与えられたコピーソフト情報と照合することによって画面コピー機能を持つプログラムが動作中であることを検出する請求項１または請求項２に記載のコンテンツ表示装置。
【請求項４】
前記コピーソフト情報は、既知の画面コピー機能を有するコピーソフト一覧表の形で内容変更可能なファイルに記録されていることを特徴とする請求項３に記載のコンテンツ表示装置。
【請求項５】
請求項１から請求項４に記載のコンテンツ表示装置を実現するソフトウエアプログラムを記載したコンピュータ読取り可能な記録媒体。
【発明の詳細な説明】
【０００１】
【発明の属する技術分野】
本発明は、デジタル画像などのコンテンツデータをＣＲＴ、ＬＣＤなどの表示装置に表示するコンテンツ表示装置に関する。
【０００２】
【従来技術】
画面に表示されている内容の全部または一部をデジタル画像データとして取り込める専用ソフトウエア（コピーソフト）が市販されている。このような専用ソフトを用いれば、市販のＣＤ−ＲＯＭタイトルなどをコンピュータで再生した画面表示を、簡単に取り込めることができる。
【０００３】
【発明が解決しようとする課題】
このようなコピーソフトを用いれば、利用者は、コンテンツデータを簡単にデジタルデータのまま複製することができ、コンテンツ提供者（著作権者）に無断で、複製されたコンテンツデータが２次利用されることを技術的に防ぐことはできない。
【０００４】
本発明はこのような問題点を考慮してなされたものであり、コンテンツ表示装置が表示する画面データの複製を防ぐ機能を持ったコンテンツ表示装置を提供しようとするものである。
【０００５】
【課題を解決するための手段】
上記課題を解決するための第１の発明は、画面コピー機能を持つアプリケーションソフトウエアが動作中かどうかを検出するコピーソフト検出手段と、前記画面コピー機能を持つアプリケーションソフトウエアが動作している事が検出されると前記コンテンツ表示手段の画面表示がコピーされないように、検知された画面コピー機能を有するソフトウエアプログラムを強制的に終了させるコンテンツ保護処置を施すコンテンツ保護手段と、を備えたコンテンツ表示装置である。
【０００６】
本発明の課題を解決するための第２の発明は、画面コピー機能を持つアプリケーションソフトウエアが動作中かどうかを検出するコピーソフト検出手段と、前記画面コピー機能を持つアプリケーションソフトウエアが動作している事が検出されると前記コンテンツ表示手段の画面表示がコピーされないように、前記コンテンツ表示手段の画面表示を非表示状態とするコンテンツ保護処置を施すコンテンツ保護手段と、を備えたコンテンツ表示装置である。
【０００７】
第１または第２の発明において、前記コピーソフト検出手段は、具体的には、現在動作中のアプリケーションソフトウエアの一覧を得て、事前に与えられたコピーソフト情報と照合することによって画面コピー機能を持つプログラムが動作中であることを検出するよう動作するものであってもよい。
【０００８】
さらに、前記コピーソフト情報は、既知の画面コピー機能を有するコピーソフト一覧表を記録した内容変更可能なファイルから得るように前記コピーソフト検出手段を実現させてもよい。このコピーソフト一覧表を記録したファイルはコンテンツ表示装置の外部記憶装置に記憶させておく。
【００１０】
本発明の課題を解決する第３の発明は、上記解決手段を備えるコンテンツ表示装置を実現するソフトウェアプログラムを記載したコンピュータ読取り可能な記録媒体である。上記解決手段がコンテンツ専用のプログラムとして実現されていて、コンテンツ自体と一体となった形で記録された記録媒体もこれに該当する。
【００１１】
【発明の実施の形態】
以下、図に基づいて本発明の実施形態を詳細に説明する。図５は、本発明の実施形態に係るコンテンツ表示装置１の構成図である。コンテンツ表示装置１は、コンピュータ本体１０１と、ユーザーインターフェースとしてのキーボード２００、マウス３００、ＣＲＴモニタ４００からなるコンピュータ装置に、コンテンツ表示手段１０２、コピーソフト検出手段１０３、コンテンツ保護手段１０４を備えて構成される。１０５は内臓ハードディスクであり、１０６はコピーソフト一覧表を記録したファイルである。また、コンピュータ本体１０１は、ＧＵＩ（グラフィカルユーザーインターフェース）を備えたオペレーティングシステム（以下ＯＳ）を備えており、コンテンツ表示装置１で動作する各種アプリケーションソフトウェアは、データ出力先としてＣＲＴモニタ４００上に現れるウィンドウを割当てられる。１０７はＣＤ−ＲＯＭなどのパッケージメディア３の読取り装置である。１０９はネットワーク通信手段であり、外部のネットワークからコンテンツを入手する際用いられる。
【００１２】
図２は、コンテンツ表示装置１の外観図である。ＣＲＴモニタ４００の画面上に現れるウインドウ（例えば７５０）は、コンテンツ表示装置１で動作するどれかのアプリケーションソフトウェアの出力を表示している。コンテンツ表示手段１０２もアプリケーションソフトウエアの一種である。
【００１３】
一般に、画面コピー機能を持つアプリケーションソフトウエアは、これをコンピュータ本体１０１にインストールし。起動させ、キーボード２００またはマウス３００で操作することにより、ＣＲＴモニタ４００に表示されている内容の一部（１つのウインドウ）または全部をデジタルデータとして取り込む（コピー）ことができる。
【００１４】
図１は、コンテンツ表示装置１のコピーソフト検出手段１０３の動作を説明するフローチャートである。図１に従ってコピーソフト検出手段１０３の働きを説明する。
【００１５】
コピーソフト検出手段１０３は、コンテンツ表示手段１０２が最初に起動される時に起動される。起動されるとまず、画面コピーソフト情報を入手する（Ｓ２）。画面コピーソフト情報は、コンテンツ表示装置１のハードディスク１０５に特定のテキストファイル１０６として記録されているものとする。このファイル１０６には、画面コピー機能を有する画像処理ソフトウエアの名前が一覧表で記述されている。次に、検査タイミングとなるまで待機する（Ｓ３）。コピーソフト検出手段がコンピュータ１０１の実メモリ領域にロードされ、実行可能状態となったプログラムを検査するタイミングは、タイマーによって一定時間間隔で検査してもよいし、コンピュータ１０１のユーザーインターフェースのイベントを監視して、実行プログラムの切り替わりを検知して、そのタイミングで検査するようにしてもよい。
【００１６】
検査するタイミングとなったら、実行可能状態となったプログラムの一覧を入手する。これは、コンピュータ１０１のオペレーティングシステム（以下ＯＳ）が提供する機能を利用する。多くのＯＳでは、アプリケーションプログラムから、実行可能状態となったプログラムの一覧を取得する、などのＯＳの機能の一部を利用できるようアプリケーションプログラムインターフェースが用意されている。この仕組みを利用して、実行可能状態となったプログラムの一覧を入手するステップＳ５を実現することができる。
【００１７】
次に実行可能状態となったプログラムが先に取得した画面コピーソフトの一覧の中に該当するものがあるかどうかの照合を行う（Ｓ７）。該当するものが無ければ問題が無いのでステップＳ３に戻り、次の検査タイミングまで待機する。もし、画面コピーソフトとしてリストアップされているものが、コンテンツ表示装置１上で実行可能状態となっていることが判明したら、コンテンツ保護手段を呼び出し、コンテンツ保護処理を行う（Ｓ１３）。その後ステップＳ３に戻る。
【００１８】
コンテンツ保護手段の働きは、図３または図４にフローチャートとして示している。図３は画面コピーソフトを強制終了する（Ｓ３０）。図４では、コンテンツ表示手段１０２を強制的にアイコン化する等の非表示状態とする（Ｓ４０）。これらの処理もＯＳの提供するアプリケーションプログラムインターフェースを利用して実現できる。
【００１９】
コピーソフト検出手段１０３およびコンテンツ保護手段１０４は、コンテンツ表示手段１０２と一体になっているものでもよいし、また別々に存在し動作するものでもよい。また、特に前者の場合、コンテンツ表示手段１０２、コピーソフト検出手段１０３およびコンテンツ保護手段１０４がコンテンツ専用のビュワーソフトとしてコンテンツ自体と一体化した形としてもよい。
【００２０】
【発明の効果】
以上、本発明によれば、コンテンツ表示装置１上にコンテンツ表示手段１０２と、コピーソフト情報に登録されている画面コピーソフトが同時に実行可能状態となっても、前者（の出力ウインドウ）がアイコン化されるか後者が強制終了されるので、コンテンツ表示手段１０２が表示した部分の画面コピーが行われることはない。万一、利用者の対話操作を必要とせずにバックグラウンドで、あるタイミングで画面のコピーを行うような画面コピーソフトがコンテンツ表示装置１のコンピュータ１０１に仕掛けられていたとしても、それがコピーソフト情報に登録されているものである限り、コンテンツ表示手段１０２が出力した画面データは決してコピーされることはない。
【００２１】
このような本発明の機能を利用すれば、著作権者が、無断２次利用を恐れてこれまでは提供できなかったような貴重な絵画・写真等のデジタル画像データを、例えばＷＷＷ上で公開・販売したり、ＣＤ−ＲＯＭ等の媒体で閲覧のみを許可する配布・販売を行うといったことが可能となるため、これまでにないサービス、ビジネスが可能となる。
【図面の簡単な説明】
【図１】  コンテンツ表示装置１のコピーソフト検出手段１０３の動作を説明するフローチャートである。
【図２】  コンテンツ表示装置１の外観図である。
【図３】  コンテンツ保護手段の働きを示すフローチャートである。
【図４】  コンテンツ保護手段の働きを示すフローチャートである。
【図５】  本発明の実施形態に係るコンテンツ表示装置１の構成図ある。
【符号の説明】
１      コンテンツ表示装置
２      ネットワーク
３      ＣＤ−ＲＯＭ
１０１  コンピュータ本体
１０２  コンテンツ表示手段
１０３  コピーソフト検出手段
１０４  コンテンツ保護手段
１０５  ハードディスク装置
１０６  画面コピーソフト情報を記録したテキストファイル
１０７  ＣＤ−ＲＯＭドライヴ装置
１０９  ネットワーク通信手段
２００  キーボード
３００  マウス
４００  ＣＲＴモニタ
【図１】
0003998884.tif 000002
【図２】
0003998884.tif 000003
【図３】
0003998884.tif 000004
【図４】
0003998884.tif 000005
【図５】
0003998884.tif 000006